(57)【要約】  上部車体と下部車体が接合されてなる車体の一部又は全体が、繊維強化複合材料にて構成される車体構造であって、上部車体と下部車体のそれぞれに金属部材が挿入されており、それらの金属部材が互いに締結されることにより接合部が形成され、更に、該接合部に２つ以上の機能部品が取り付けられている車体構造。
2012105387.tif 000002
【特許請求の範囲】
【請求項１】
上部車体と下部車体が接合されてなる車体の一部又は全体が、繊維強化複合材料にて構成される車体構造であって、
上部車体と下部車体のそれぞれに金属部材が挿入されており、それらの金属部材が互いに締結されることにより接合部が形成され、
更に、該接合部に２つ以上の機能部品が取り付けられている車体構造。
【請求項２】
該機能部品がサスペンション、ドア、フロントフード、ステアリングサポート、およびクラッシャブルストラクチャよりなる群から選択されることを特徴とする請求項１に記載の車体構造。
【請求項３】
該繊維強化複合材料のマトリックスが熱可塑性樹脂であることを特徴とする請求項１又は２に記載の車体構造。
【請求項４】
該繊維強化複合材料が強化繊維として炭素繊維を含むことを特徴とする請求項１〜３の何れかに記載の車体構造。
【請求項５】
該繊維強化複合材料が、ランダムマットに積層された強化繊維に熱可塑性樹脂を含浸させたものであることを特徴とする請求項３〜４の何れかに記載の車体構造。
【発明の詳細な説明】
【技術分野】
【０００１】
本発明は、繊維強化複合材料で構成された車体構造に関する。
【背景技術】
【０００２】
近年、車体の軽量化を図るために、車体の一部分もしくは大部分を合成樹脂や繊維強化複合材料にて構成した車体構造が知られている。例えば、特許文献１では、車体を上部車体と下部車体とに二分割し、該上部車体の骨格を合成樹脂によって閉断面形状に形成しており、その閉断面内に骨格内部に亘って延びた補強用フレームを配設して、そのフレームと下部車体を結合する構造が提案されている。特許文献２では、小型車両の車体構造を簡略化するため、車体を上部車体、下部車体、フロントフード、リアバンパーで構成し、上部車体と下部車体の前方接合部にフロントフードを取り付けた構造が提案されている。特許文献３では、非金属製の高強度材料からなるフロントガラスフレームと乗員ボックスの壁構造部とを、フランジを介して接合した構造が提案されている。
【先行技術文献】
【特許文献】
【０００３】
【特許文献１】特開平１−１０３５８６号公報
【特許文献２】特開平９−３０９４５７号公報
【特許文献３】特許第４４７８４０９号公報
【発明の概要】
【発明が解決しようとする課題】
【０００４】
車体構造の大幅な軽量化を図るためには、車体の大部分を繊維強化複合材料で構成する必要があり、車体を効率的に製造するためには、上記のように車体を少なくとも２つ以上の部位に分割して成形し、それらを接合する構造が有効である。しかしながら、車体にはサスペンションやドアなどの機能部品を取り付ける必要があり、これらの機能部品は自重や動作時の加速度によって車体に大荷重を作用させる（応力集中が生じる）ことになる。一般的に、繊維強化複合材料にこれらの大荷重を作用させる（応力集中が生じる）部品を直接締結することは好ましくなく、各部品の取り付け部分毎にインサートプレートを挿入するなどの対応が必要となるため、重量増を招く結果となる。
【課題を解決するための手段】
【０００５】
前記課題を解決するため、発明者らは鋭意検討の結果、本発明に到達した。本発明の要旨を以下に示す。
（１）上部車体と下部車体が接合されてなる車体の一部又は全体が、繊維強化複合材料にて構成される車体構造であって、
上部車体と下部車体のそれぞれに金属部材が挿入されており、それらの金属部材が互いに締結されることにより接合部が形成され、
更に、該接合部に２つ以上の機能部品が取り付けられている車体構造。
（２）該機能部品がサスペンション、ドア、フロントフード、ステアリングサポート、およびクラッシャブルストラクチャよりなる群から選択されることを特徴とする（１）に記載の車体構造。
（３）該繊維強化複合材料のマトリックスが熱可塑性樹脂であることを特徴とする（１）又は（２）に記載の車体構造。
（４）該繊維強化複合材料が強化繊維として炭素繊維を含むことを特徴とする（１）〜（３）の何れかに記載の車体構造。
（５）該繊維強化複合材料が、ランダムマットに積層された強化繊維に熱可塑性樹脂を含浸させたものであることを特徴とする（３）又は（４）に記載の車体構造。
【発明の効果】
【０００６】
本発明によれば、上部車体と下部車体、および機能部品の接合に必要な金属部材の数を減らすことが可能となり、車体の軽量化が実現できる。また、接合に必要な金属部材を集中して配置し、金属部材同士を締結することが可能となり、接合部の信頼性を向上することも可能となる。
【図面の簡単な説明】
【０００７】
【図１】本発明の車体構造の一例を含む乗用自動車の斜視図
【図２】図１に示した乗用自動車の車体構造について、上部車体、下部車体、各機能部品や金属ジョイントを分離して示す斜視図
【図３】本発明に基づく車体構造を含む乗用自動車の前部側面図
【図４】図３におけるＡ−Ａ断面図
【図５】図３におけるＢ−Ｂ断面図
【図６】図１におけるＣ−Ｃ断面図
【図７】図６における拡大図Ｄ
【図８】機能部品としてステアリングサポートおよびサスペンションが取り付けられている、本発明の車体構造の一例を含む乗用自動車の斜視図
【図９】図８に示した乗用自動車の車体構造について、上部車体、下部車体、各機能部品や金属ジョイントを分離して示す斜視図
【発明を実施するための形態】
【０００８】
本発明は、上部車体と下部車体が接合されてなる車体の一部又は全体が、繊維強化複合材料にて構成される車体構造であって、
上部車体と下部車体のそれぞれに金属部材が挿入されており、それらの金属部材が互いに締結されることにより接合部が形成され、
更に、該接合部に２つ以上の機能部品が取り付けられている車体構造である。
【０００９】
以下に、本発明の実施の形態について、図面にて具体例も示した上、順次説明するが、本発明はこれらに制限されるものではない。
【００１０】
図１に、乗用自動車１の車体（ボディー）を示してあり、上部車体２、下部車体３、機能部品としてフロントフード５、クラッシャブルストラクチャ４、サスペンション６、金属部材として、フロント上部車体用金属ジョイント７、リア上部車体用金属ジョイント７ｒ、フロント下部車体用金属ジョイント８、リア下部車体用金属ジョイント８ｒを含んでいる。上部車体２、下部車体３は金属ではない高強度の材料である炭素繊維強化複合材料（別名、炭素繊維強化プラスチック（略称  ＣＦＲＰ））から成っていて、各々に接合するための金属部材として金属ジョイントを有している。また、下部車体３には機能部品として、フロア、サイドシルを有している。
【００１１】
なお、本発明でいう“接合部”を、図１に関して具体的に言うと車体左右それぞれの、フロント上部車体用金属ジョイント７とフロント下部車体用金属ジョイント８を合わせた部分を指す。この接合部は、図１の例示のように車体前部にあるものだけでなく、車体後部にあるものであってもよい。つまり本発明の車体構造は、車体の前後左右の少なくとも１つの接合部に機能部品が２つ以上ついているものだが、代表的なものは図１に示すように車体前部の左右の接合部それぞれに、機能部品が２つ以上ついているものや、車体後部の左右の接合部それぞれに、機能部品が２つ以上ついているものである。
【００１２】
図２は、図１に示した乗用自動車１について、上部車体２、下部車体３、機能部品としてのクラッシャブルストラクチャ４、フロントフード５、サスペンション６、金属部材としてのフロント上部車体用金属ジョイント７、リア上部車体用金属ジョイント７ｒ、フロント下部車体用金属ジョイント８、リア下部車体用金属ジョイント８ｒを分解して示す斜視図である。
【００１３】
図３は乗用自動車１の前部側面図である。
図４、図５に示す通り、上部車体２の一部であるピラーインナー２１に上部車体用金属ジョイントインナー７１が接着されており、ピラーアウター２２に上部車体用金属ジョイントインナー７１と上部車体用金属ジョイントアウター７２が強固に接着されており、上部車体用金属ジョイントインナー７１、上部車体用金属ジョイントアウター７２はフロント下部車体用金属ジョイント８とボルト１００、１０２、ナット１０１などに示す機械的結合がされており、上部車体と下部車体が取り外し可能な構造となる。また、下部車体の一部であるサイドシルアウター２３及びサイドシルインナー２４からフロント下部車体用金属ジョイント８にサイドシルアウターフランジ２３ｆ、サイドシルインナーフランジ２４ｆを設け、該フランジとフロント下部車体用金属ジョイント８を強固に接着している。
【００１４】
図４には、ホイール９１から繋がるサスペンション６を固定する下部車体サスペンション用金属ジョイント８２を示す。下部車体サスペンション用金属ジョイント８２はフロント下部車体用金属ジョイント８とボルト、ナット、リベット、ビスなどによる機械的結合又は接着などにより強固に結合されている。
図６、図７には、クラッシャブルストラクチャ４をフロント下部車体用金属ジョイント８に溶接面４ｗにて溶接しており、フロントフード５をフロント下部車体用金属ジョイント８にボルト１０３などを用いて機械的結合している。
【００１５】
図８は、機能部品としてステアリングサポート３Ｓおよびサスペンション６が取り付けられている、本発明の車体構造の一例を含む乗用自動車１’の斜視図である。図９は、図８に示した乗用自動車１’について、上部車体２、下部車体３、機能部品としてのサスペンション６、ステアリングサポート３Ｓ、金属部材としてのフロント上部車体用金属ジョイント７、リア上部車体用金属ジョイント７ｒ、フロント下部車体用金属ジョイント８、リア下部車体用金属ジョイント８ｒを分解して示す斜視図である。
【００１６】
次に、本発明を構成する各要素について述べる。
[繊維強化複合材料]
本発明の車体構造は、上部車体と下部車体が接合されてなる車体の一部又は全体が、繊維強化複合材料にて構成されている。ただし、ここで「全体が繊維強化複合材料にて構成される」とは、該車体構造において、骨格など自動車の基本構成となるところが全て繊維強化複合材料で構成されているという意味であり、ボルトやナット、リベット、ビスに至るまで、一切、金属部品を含まないという意味ではない。また、「一部が繊維強化複合材料にて構成される」とは、上部車体と下部車体のいずれかの一部であっても、それぞれ両方の一部が繊維強化複合材料にて構成されているものであってもよい。
【００１７】
繊維強化複合材料とは、樹脂などのマトリックス（成分）に強化繊維を添加したものである。本発明の車体構造には、公知の繊維強化複合材料を用いることができる。例えば、繊維強化複合材料の部分と樹脂のみの部分とが積層体になったものや、サンドイッチ構造になっている繊維強化複合材料を使用することもできる。サンドイッチ構造の場合は、コア部材が繊維強化複合材料であって表皮部材が樹脂であっても良く、逆にコア部材が樹脂のみの部分であって、表皮部材が繊維強化複合材料であっても良い。
【００１８】
また、本発明の車体構造に用いられる繊維強化複合材料としては、ランダムマットに積層された強化繊維に熱可塑性樹脂を含浸させたものが好ましい。
当然、本発明の車体構造において、上部車体と下部車体、そして、これら上部車体や下部車体の各部分において、用いられる繊維強化複合材料は同じでも異なっていても良い。
【００１９】
本発明に用いられる、繊維強化複合材料のマトリックスは樹脂であるが、成形性、生産性、加工性に優れる点から熱可塑性樹脂が好ましい。また車体のマトリックスを熱可塑性樹脂とすることで、二軸の中間に位置する軸方向に引っ張った際の破断ひずみを２０％前後まで増加させることが可能となる。熱可塑性樹脂としては、例えば塩化ビニル樹脂、塩化ビニリデン樹脂、酢酸ビニル樹脂、ポリビニルアルコール樹脂、ポリスチレン樹脂、アクリロニトリル−スチレン樹脂（ＡＳ樹脂）、アクリロニトリル−ブタジエン−スチレン樹脂（ＡＢＳ樹脂）、アクリル樹脂、メタクリル樹脂、ポリエチレン樹脂、ポリプロピレン樹脂、ポリアミド６樹脂、ポリアミド１１樹脂、ポリアミド１２樹脂、ポリアミド４６樹脂、ポリアミド６６樹脂、ポリアミド６１０樹脂、ポリアセタール樹脂、ポリカーボネート樹脂、ポリエチレンテレフタレート樹脂、ポリエチレンナフタレート樹脂、ボリブチレンテレフタレート樹脂、ポリアリレート樹脂、ポリフェニレンエーテル樹脂、ポリフェニレンスルフィド樹脂、ポリスルホン樹脂、ポリエーテルスルホン樹脂、ポリエーテルエーテルケトン樹脂、及びこれらの樹脂２種類以上の組成物などからなる群より選ばれる１種類以上が好ましいものとして挙げられる。この中でも、塩化ビニル樹脂、ポリスチレン樹脂、ＡＢＳ樹脂、ポリエチレン樹脂、ポリプロピレン樹脂、ポリアミド６樹脂、ポリアミド６６樹脂、ポリアセタール樹脂、ポリカーボネート樹脂、ポリエチレンテレフタレート樹脂、ポリエチレンナフタレート樹脂、ボリブチレンテレフタレート樹脂、ポリアリレート樹脂及びこれらの樹脂２種類以上の組成物などからなる群より選ばれる１種類以上がより好ましく、ポリプロピレン樹脂、ポリアミド６樹脂、ポリアミド６６樹脂及びこれらの樹脂２種類以上の組成物などからなる群より選ばれる１種類以上が特に好ましいものとして挙げられる。
【００２０】
本発明の車体構造に用いられる、繊維強化複合材料の強化繊維としては、ガラス繊維、炭素繊維、アラミド繊維、ボロン繊維、アルミナ繊維、炭化ケイ素繊維、高密度ポリエチレン繊維、ＰＢＯ（ポリベンゾオキサゾール）繊維、およびこれらの２種類以上の混合物等からなる群より選ばれる１種類以上を挙げることができ、なかでも炭素繊維が軽量で強度が優れていることから好ましい。炭素繊維としては公知のものを使用することができるが、一方向に引き揃えられた炭素繊維束、いわゆる一方向材とした炭素繊維か、またはランダムマットに積層された炭素繊維が好ましい。
【００２１】
本発明に用いられる、繊維強化複合材料は、上記のようなマトリックス(樹脂）と強化繊維以外の成分（繊維状ではないフィラー類や、酸化防止剤などの各種添加剤など）も、本発明の目的に支障を与えるものでない限り含んでいてもよい。
【００２２】
[金属部材]
本発明の車体構造において、上部車体と下部車体の接合部にはそれぞれ挿入されており、かつ、接合部で互いに締結されている「金属部材」としては、公知のものを用いることができ、代表的なものとして、図にて示した金属ジョイント、金属ジョイントインナー、および金属ジョイントアウターからなる群より選ばれる１種類以上を挙げることができる。
【００２３】
[機能部品]
本発明の車体構造において、金属部材が締結されている接合部に２つ以上取り付けられる機能部品としては、自動車の構造・制御に関する各種の機能部品を用いることができる。なかでも、サスペンション、ドア、フロントフード、ステアリングサポート、クラッシャブルストラクチャからなる群より選ばれる２つ以上のものが好ましい。なお、本発明の車体構造には、２つ以上の機能部品が接合部に取り付けられているほかに、上記の機能部品として列挙したもののいずれかが、前記の接合部以外のところに取り付けられている態様も含まれる。
【符号の説明】
【００２４】
１、１’  乗用自動車
２  上部車体
３  下部車体、３Ｓ  ステアリングサポート
４  クラッシャブルストラクチャ、４ｗ  溶接面
５  フロントフード
６  サスペンション
７  フロント上部車体用金属ジョイント、７ｒ  リア上部車体用金属ジョイント
８  フロント下部車体用金属ジョイント、８ｒ  リア下部車体用金属ジョイント
２１  ピラーインナー
２２  ピラーアウター
２３  サイドシルアウター、２３ｆ  サイドシルアウターフランジ
２４  サイドシルインナー、２４ｆ  サイドシルインナーフランジ
２５  クロスメンバー
２６  アッパーフロア
７１  上部車体用金属ジョイントインナー
７２  上部車体用金属ジョイントアウター
８１  下部車体用金属ジョイント補強部
８２  下部車体サスペンション用金属ジョイント
９１  ホイール
１００、１０２、１０３  ボルト
１０１  ナット
【図１】
2012105387.tif 000003
【図２】
2012105387.tif 000004
【図３】
2012105387.tif 000005
【図４】
2012105387.tif 000006
【図５】
2012105387.tif 000007
【図６】
2012105387.tif 000008
【図７】
2012105387.tif 000009
【図８】
2012105387.tif 000010
【図９】
2012105387.tif 000011
【国際調査報告】
2012105387.tif 000012
2012105387.tif 000013
2012105387.tif 000014
2012105387.tif 000015